(57)【要約】【課題】回路基板を１枚にして、配線、リード線、回路部品の削減ができ、構造も簡素化でき、コストの低下が図れる回路基板固定装置を提供する。【解決手段】実施の形態の回路基板固定装置は、固定部材１の上面に、近接して対向するように２本１組のフック部材５を、それらの先端鉤部４が近接する姿勢で立設し、回路基板２のフック部材５それぞれと対応する位置にフック通し穴６を形成し、固定部材１の上方に回路基板２を固定手段５，６によって固定し、フック部材５の先端鉤部４それぞれをフック通し穴６に通して回路基板２の上方に突出させ、２本のフック部材５，５それぞれの先端鉤部４，４を近接して相対向させ、回路基板２上を這うリード線８Ａ，８Ｂをフック部材５の先端鉤部４の下側に押し込んだことを特徴とする。【選択図】      図４
2014082410.tif 000002
【特許請求の範囲】
【請求項１】
回路基板の上面に、近接して対向するように２本１組のフック部材を、それらの先端鉤部が近接する姿勢で立設し、
回路基板の前記フック部材それぞれと対応する位置にフック通し穴を形成し、
前記固定部材の上方に前記回路基板を固定手段によって固定し、
前記フック部材の先端鉤部それぞれを前記フック通し穴に通して前記回路基板の上方に突出させ、前記２本のフック部材それぞれの先端鉤部を近接して相対向させ、
前記回路基板上を這うリード線を前記フックの先端鉤部の下側に押し込んだことを特徴とする回路基板固定装置。
【請求項２】
前記固定部材の上方に前記回路基板を固定する固定手段は、前記フック部材を弾性材にて形成し、前記回路基板のフック通し穴に前記フック部材を通した状態で当該フック部材の直立しようとする復元力によって当該フック通し穴の周縁に当該フック部材が弾性的に接触することにより前記回路基板を固定するものであることを特徴とする請求項１に記載の回路基板固定装置。
【請求項３】
前記固定部材のフック部材それぞれの基部を当該基部よりも上方の部分よりも厚肉にして段部を形成し、前記段部にて前記回路基板の下面を受持させることにより、前記固定部材の上方に前記段部の高さ分の間隔を開けて前記回路基板を固定することを特徴とする請求項２に記載の回路基板固定装置。
【請求項４】
前記固定部材の上方に前記回路基板を固定する固定手段は、前記回路基板の周囲及び必要な中間部分に形成したねじ通し穴に止めねじを通し、当該止めねじを前記固定部材にねじ込むことによって固定するものであることを特徴とする請求項１に記載の回路基板固定装置。
【発明の詳細な説明】
【技術分野】
【０００１】
実施の形態は、回路基板固定装置に関する。
【背景技術】
【０００２】
従来、例えば、電気冷蔵庫の制御回路において回路基板をハウジングのような固定部材に固定するには、図５に示すように、固定部材１０１の上に２枚の回路基板１０２，１０３を横に並べて固定部材１０１の底部にねじ１０４にてねじ止めして固定する構造をとっている。そして、外部の回路へ引き出す、あるいは外部の回路から引き込むリード線１０５は、その端部にオスコネクタ１０６を取り付け、そのオスコネクタ１０６を基板１０２あるいは１０３上のメスコネクタ１０７に接続し、リード線１０５は基板１０２，１０３間のスペースを通して側方あるいは下方に導出している。
【０００３】
また、従来の回路基板収容構造では、２枚の分断した回路基板１０２，１０３それぞれに回路部品を設置しているため、両方の回路基板１０２，１０３上の回路部品にまたがって接続する場合には渡り配線が必要である。そのため、オスコネクタ１０８，１０９を両端に取り付けた渡り線１１０を用意し、回路基板１０２，１０３それぞれの上に設置した渡り線用のメスコネクタ１１１，１１２にオスコネクタ１０８，１０９を差し込んで接続し、回路基板１０２，１０３間のスペースに渡り線１１０を渡らせる構造にしている。そして、渡り線１１０と外部引き出しあるいは引き込みのリード線１０５とが基板１０２，１０３間のスペース部分で干渉しないように、結束部材１１３，１１４にてそれぞれを結束する等していた。
【０００４】
このように、従来の回路基板固定構造では、回路基板を分割した構造であるために渡り線を必要とし、その渡り線、渡り線用のオスコネクタ、各基板上の渡り線用のメスコネクタという回路部品を必要とし、構造が複雑になり、部品点数が増えるためにコストも高くなる問題点があった(特許文献１を参照)。
【先行技術文献】
【特許文献】
【０００５】
【特許文献１】特開平１１−２７６７８０号
【発明の概要】
【発明が解決しようとする課題】
【０００６】
本発明は、このような従来の技術的課題に鑑みてなされたもので、回路基板を１枚にでき、配線、リード線、回路部品の削減ができ、構造も簡素化でき、コストの低下が図れる回路基板固定装置を提供することを目的とする。
【課題を解決するための手段】
【０００７】
実施の形態の回路基板固定装置は、回路基板の上面に、近接して対向するように２本１組のフック部材を、それらの先端鉤部が近接する姿勢で立設し、回路基板の前記フック部材それぞれと対応する位置にフック通し穴を形成し、前記固定部材の上方に前記回路基板を固定手段によって固定し、前記フック部材の先端鉤部それぞれを前記フック通し穴に通して前記回路基板の上方に突出させ、前記２本のフック部材それぞれの先端鉤部を近接して相対向させ、前記回路基板上を這うリード線を前記フック部材の先端鉤部の下側に押し込んだことを特徴とする。
【図面の簡単な説明】
【０００８】
【図１】１つの実施の形態の回路基板固定装置における固定部材の斜視図。
【図２】上記実施の形態の回路基板固定装置における回路基板の斜視図。
【図３】上記実施の形態の回路基板固定装置において固定部材上に回路基板を固定した状態の斜視図。
【図４】上記実施の形態の回路基板固定装置の斜視図。
【図５】従来例の回路基板固定装置の斜視図。
【発明を実施するための形態】
【０００９】
以下、実施の形態を図に基づいて詳説する。
【００１０】
図１〜図４に示す実施の形態の回路基板固定装置は、例えばハウジングのような固定部材１上に１枚の回路基板２を、一定の間隔をあけて固定するものである。
【００１１】
図１に示すように、固定部材１の必要箇所それぞれに、鉤状に屈曲した先端鉤部４が形成されているフック部材５を立設している。このフック部材５は、先端鉤部４が互いに近接して対向する姿勢で２本ずつを立設している。
【００１２】
このフック部材５は弾性材にて形成してある。またフック部材５それぞれの基部を当該基部よりも上方の部分よりも厚肉にして段部５１を形成し、この段部５１にて回路基板２の下面を受持することにより、固定部材１の上方に段部５１の高さ分の間隔を開けて回路基板２を固定するようにしてある。
【００１３】
図２に示すように、１枚の回路基板２には、フック部材５に対応する箇所にフック通し穴６が形成してある。回路基板２上には回路部品２１，２２等が設置されている。また従来の２枚に分割された回路基板１０２，１０３であれば渡り線１１０にて渡り配線されていた回路部品間はプリント配線７により接続されている。
【００１４】
図３に示すように、固定部材１上に回路基板２を固定するには、回路基板２のフック通し穴６にフック部材５の先端鉤部４を下から上に通した状態で当該フック部材５の直立に戻ろうとする弾性復元力によって当該フック通し穴６の周縁に当該フック部材５の基部が弾性的に接触することにより回路基板２が固定部材１の上方に固定される。この場合、フック部材５それぞれの基部に段部５１を形成してこの段部５１にて回路基板２の下面を受持することにより、固定部材１の上方に段部５１の高さ分の間隔を開けて回路基板２を固定する。
【００１５】
図４に示すように、外部の回路へ引き出す、あるいは外部の回路から引き込むリード線８Ａは、その端部にオスコネクタ９Ａを取り付け、そのオスコネクタ９Ａを回路基板２上のメスコネクタ１０Ａに接続し、リード線８Ａはフック部材５の先端鉤部４の下側に押し込むことにより線のばらつきや他のリード線との干渉を避けることができる。
【００１６】
また、回路基板２の上の１つの回路部品と他の回路部品とを接続するためのリード線８Ｂについても、その両端部にオスコネクタ９Ｂ，９Ｂを取り付け、そのオスコネクタ９Ｂ，９Ｂを回路基板２上のメスコネクタ１０Ｂ，１０Ｂに接続し、リード線８Ｂは先端鉤部４の下側に押し込むことにより線のばらつきや他のリード線との干渉を避けることができる。尚、この回路基板２上を単に横断させるだけのリード線８Ｃについても、各フック部材５の先端鉤部４の下側に押し込むことにより線のばらつきや他のリード線との干渉を避けることができる。
【００１７】
以上の通り、本実施の形態の回路基板固定装置によれば、固定部材１上に回路基板２を分割せずに１枚のままフック部材５を利用してワンタッチで固定できるようにしたので、従来の分割基板であれば渡り線やその接続のためのコネクタを必要としていたものが、回路基板２上のプリント配線ですむようになり、この点での部品点数の削減が図れる。また、本実施の形態によれば、フック部材５を利用して回路基板２を固定部材１上にワンタッチで固定でき、作業性の向上が図れる。さらに、本実施の形態によれば、フック部材５の先端鉤部４の下側にリード線８Ａ，８Ｂ，８Ｃを押し込むことができ、線のばらつきや他のリード線との干渉を避けるのにこのフック部材５を利用でき、配線をすっきり整えることができる利点がある。
【００１８】
尚、本発明は上記の実施の形態に限定されることはなく、例えば、固定部材１に対する回路基板２の固定は、図５に示した従来例のようにねじ止め（１０４）により行うことも可能である。その場合にも、フック部材５には段部５１を設けておくことにより回路基板２の中間部分を所定の高さ位置に保持できることになる。また、段部５１に代えて、所定の長さのスペーサをフック部材５の基部に套装するようにしてもよい。また、ねじ止め（１０４）により固定部材１に回路基板２を固定する場合、フック部材５が回路基板２のフック通し穴６の周縁に弾性的に接触する機構は考慮せず、単純にフック通し穴６に下から上へ先端鉤部４を通らせて回路基板２の上方に突出させ、その先端鉤部４の下側にリード線８Ａ，８Ｂ，８Ｃを押し込むだけの構造にしてもよい。
【符号の説明】
【００１９】
１  固定部材
２  回路基板
４  先端鉤部
５  フック部材
５１  段部
６  フック通し穴
７  プリント配線
８Ａ，８Ｂ，８Ｃ  リード線
９Ａ，９Ｂ  オスコネクタ
１０Ａ，１０Ｂ  メスコネクタ
【図１】
2014082410.tif 000003
【図２】
2014082410.tif 000004
【図３】
2014082410.tif 000005
【図４】
2014082410.tif 000006
【図５】
2014082410.tif 000007